(57)【要約】【課題】浄化剤の取替時期が見易いシャワーヘッドを提供すること。【解決手段】シャワーヘッド１は、取替可能に浄化剤を内蔵したシャワーヘッドの本体４に、浄化剤取替用の取替時期を表示した表示部材２９を配設させている。表示部材２９は、外周面側の周方向に沿って取替時期を表示した円弧状とし、回動操作用の取っ手３２を本体４から突出させて本体４内に回動自在に係止される。本体４は、回動停止時の表示部材２９の一つの取替時期を表示する開口部７ｄを備えて、表示部材２９を覆っている。【選択図】図４
2004121329.tif 000002
【特許請求の範囲】
【請求項１】
取替可能に浄化剤を内蔵したシャワーヘッドの本体に、浄化剤取替用の複数の取替時期を表示した表示部材が配設されるシャワーヘッドにおいて、
表示部材が、外周面側の周方向に沿って取替時期を表示した円弧状とし、回動操作用の取っ手を本体から突出させて本体内に回動自在に係止され、
本体が、回動停止時の表示部材の一つの取替時期を表示する開口部を備えて、表示部材を覆っていることを特徴とするシャワーヘッド。
【請求項２】
前記本体が、グリップ部とヘッド部とを備え、前記取っ手が、ヘッド部の背面側から突出されていることを特徴とする請求項１に記載のシャワーヘッド。
【請求項３】
前記本体が、グリップ部とヘッド部とを備え、前記取っ手が、前記グリップ部におけるヘッド部から離れた端部側から突出されていることを特徴とする請求項１に記載のシャワーヘッド。
【請求項４】
前記表示部材と前記本体とに、開口部でのそれぞれの取替時期の表示時に、表示部材の回動を可能として相互に嵌合する凹部若しくは凸部が設けられていることを特徴とする請求項１乃至請求項３のいずれかに記載のシャワーヘッド。
【発明の詳細な説明】
【０００１】
【発明の属する技術分野】
本発明は、取替可能に浄化剤を内蔵したシャワーヘッドの本体に、浄化剤取替用の取替時期を表示した表示部材が配設されるシャワーヘッドに関する。
【０００２】
【従来の技術】
従来、台所等で使用されるシャワーヘッドでは、取替可能に浄化剤を内蔵したものがあり、さらに、シャワーヘッドの本体に、浄化剤の取替月を表示するための表示部材を配設させたものが知られていた（例えば、特許文献１参照）。
【０００３】
このようなシャワーヘッドでは、浄化剤を取り替えた際、表示部材を操作して、つぎの取替時期を表示していた。
【０００４】
【特許文献１】
特開２００１−８８４９公報
【０００５】
【発明が解決しようとする課題】
しかし、上記のようなシャワーヘッドでは、表示部材が、取替時期としての一年の１２月分の月数を外周面に表示させた状態で、１２月分の全てをシャワーヘッドの本体から露出させて、配設されていた。そして、本体に付された目印の位置に、取替月に対応した月数を停止させていた。
【０００６】
そのため、従来のシャワーヘッドでは、本体の目印があるものの、１２月分の全てがシャワーヘッドの本体から露出されていたことから、シャワーヘッドを一瞥しただけでは、浄化剤の取替時期を把握し難いという課題があった。
【０００７】
本発明は、上述の課題を解決するものであり、浄化剤の取替時期が見易いシャワーヘッドを提供することを目的とする。
【０００８】
【課題を解決するための手段】
本発明に係るシャワーヘッドは、取替可能に浄化剤を内蔵したシャワーヘッドの本体に、浄化剤取替用の複数の取替時期を表示した表示部材が配設されるシャワーヘッドにおいて、
表示部材が、外周面側の周方向に沿って取替時期を表示した円弧状とし、回動操作用の取っ手を本体から突出させて本体内に回動自在に係止され、
本体が、回動停止時の表示部材の一つの取替時期を表示する開口部を備えて、表示部材を覆っていることを特徴とする。
【０００９】
本発明に係るシャワーヘッドでは、シャワーヘッドの本体における開口部から、浄化剤に対応した一つの取替時期だけが表示されることから、浄化剤の取替時期が見易く、一瞥しただけで、容易に認識することができる。
【００１０】
また、表示部材が、開口部から所定の取替時期を表示させて本体に覆われていても、取替時期の表示を変更する際、回動操作用の取っ手がシャワーヘッド本体から突出されているため、浄化剤の交換後等に、操作用取っ手を回動操作して容易に所定の取替時期に変更することができる。
【００１１】
そして、操作用の取っ手は、シャワーヘッドがグリップ部とヘッド部とを備えて構成される場合、請求項２や請求項３に記載したように、ヘッド部の背面側から突出させたり、あるいは、グリップ部におけるヘッド部から離れた端部側から突出させることが望ましい。このような構成では、シャワーヘッドの通常使用時、使用者が取っ手に触れて表示部材を誤操作して回動させる虞れがないからである。
【００１２】
なお、シャワーヘッド本体の開口部は、本体の側面側に配置することがシャワーヘッドの美観を確保する上で好ましい。
【００１３】
そして、本発明のシャワーヘッドでは、請求項４に記載したように、表示部材と本体とに、開口部でのそれぞれの取替時期の表示時に、表示部材の回動を可能として相互に嵌合する凹部若しくは凸部を設けることが望ましい。このような構成では、表示部材と本体との所定の凹・凸部の嵌合により、表示部材の回動操作時、節度感を得られて、表示部材の所定の取替時期を表示することができ、かつ、取替時期を表示させた後の表示部材のずれ防止を確保できる。なお、表示部材若しくは本体に設ける凹部としては、例えば、少なくとも一年の１２月分の１２個設け、それらの凹部に嵌合するように、本体若しくは表示部材に凸部を設ければ、的確に節度感を得て一年の各月を取替時期として表示することができる。そして、このような場合、表示部材の内周面に周方向に沿って凹部を配設し、本体における表示部材の内周面側に位置する部位に、凹部に嵌合する凸部を設ける構成が例示できる。勿論、これらの凹部は、表示部材の外周面側に設け、対応する本体の部位に凸部を設けたり、あるいは、本体における表示部材の内周面側若しくは外周面側の部位に凹部を設け、表示部材の内周面側若しくは外周面側に凸部を設けてもよい。
【００１４】
なお、本発明の取替時期としては、一年分の月数に限らず、一年分の四季、すなわち、春夏秋冬であってもよいし、立春から大寒の２４節気であってもよい。そして、取替時期として四季を基準とする場合には、凹部としては、少なくと一年分の４個を設けることができ、取替時期として節気を基準とすれば、凹部は、少なくとも一年分の２４個を設ければよい。
【００１５】
【発明の実施の形態】
以下、本発明の一実施形態を図面に基づいて説明すると、実施形態のシャワーヘッド１は、図１・２に示すように、グリップ部２とヘッド部３とを備えて構成されるとともに、構成部品としては、本体４とヘッド部３の下端付近に配置された表示部材２９とから構成されている。すなわち、本体４は、シャワーヘッド１における表示部材２９以外の部材を指している。
【００１６】
そして、シャワーヘッド１のグリップ部２は、原水ＮＷを浄化するための浄化剤１３を備えて取替可能なカートリッジ１２を内蔵させている。カートリッジ１２の上端には、浄化された浄水ＣＷを流出させるニップル部１２ａが配設されるとともに、カートリッジ１２の周囲には、円筒状の連結パイプ１１が配設されている。連結パイプ１１の図示しない元部側は、図示しないホースと連結され、さらに、このホースは、水と湯とを切り換えて流入させる図示しない給水具に連結されている。連結パイプ１１の周囲には、シャワーヘッド１の外周側に露出されるハウジング５としての円筒状の筒カバー６が、配設されている。
【００１７】
ハウジング５は、筒カバー６と、ヘッド部３の上部側を覆う上カバー７と、ヘッド部３の下部側の背面側外周を覆う下カバー８と、から構成されている。各カバー６・７・８は、ＡＢＳ樹脂等の合成樹脂から形成されて、連結パイプ１１や後述する弁室１６内に高温の温水が流れても、使用者に熱を伝えないように、パイプ１１や弁室１６との間に所定の隙間を設けて、配設されている。
【００１８】
上カバー７と下カバー８とは、図１〜４に示すように、後述する散水板２３側におけるヘッド部３の下端側で、略円筒状に組み付けられる弧面部７ａ・８ａを備えて構成され、弧面部７ａの内周面７ｂには、回動時の表示部材２９における外周面３０ｄを当接支持可能な支持部７ｃが、周方向の放射状の位置に複数（実施形態では四個）突設されている。弧面部７ａにおけるヘッド部３の側面側には、弧面部７ａの下端から上方へ凹んで内外周を貫通するように配置された略長方形形状の開口部７ｄが形成されている。開口部７ｄは、内周面に凹溝７ｅを備えて、凹溝７ｅに嵌め込まれたポリカーボネイト等の合成樹脂製の透明板９により、塞がれている。この開口部７ｄは、表示部材２９における取替時期としての所定の一つの月数３０ｅだけを表示させる大きさに、形成されている。また、下カバー８の弧面部８ａにおけるヘッド部３の背面側には、表示部材２９の回動操作用の取っ手３２を突出させるための凹部８ｂが、ヘッド部３の下端の周方向に沿って形成されている（図４・６参照）。凹部８ｂの配置領域は、操作時の取っ手３２がヘッド部３の正面側に表れないように、ベッド部３の背面側で、かつ、ヘッド部３の下端外周面における周方向の略１／３の領域としている。
【００１９】
なお、ヘッド部３の背面側とは、シャワーヘッド１を通常状態で使用する際に使用者が立つ側の反対側であり、ヘッド部３の正面側とは、通常使用時の使用者の立つ側である。
【００２０】
そして、ヘッド部３内には、原水ＮＷと浄水ＣＷとを切り換えて、ストレート吐水あるいはシャワー吐水として流出させるための水切換弁１４が配設されている。この水切換弁１４は、上カバー７から突出している三つの操作ボタン１９・２０・２１を押圧操作することにより、水ＮＷ・ＣＷの流出形態を調整している。ちなみに、実施形態の場合、操作ボタン１９を押圧操作すれば、浄水ＣＷをストレート吐水させ、操作ボタン２０を押圧操作すれば、原水ＮＷをシャワー吐水させ、操作ボタン２１を押圧操作すれば、原水ＮＷをストレート吐水させることができる。なお、浄水ＣＷでは、浄化剤１３を通過して圧力損失が生じて、円滑にシャワー吐水できないことから、浄水ＣＷのシャワー吐水は行なえないように構成されている。
【００２１】
水切換弁１４は、各ボタン１９・２０・２１の操作により作動される各種弁機構（図符号省略）を内蔵させた弁室１６と、連結パイプ１１やカートリッジ１２のニップル部１２ａと弁室１６とを連結するコネクタ１５、を備えて構成されている。弁室１６は、上部側の外壁を構成するアッパケース１７と、下部側の外壁を構成するロアケース１８と、から構成されている。コネクタ１５は、原水ＮＷとカートリッジ１２のニップル部１２ａからの浄水ＣＷとを弁室１６内に流入させるように構成されており、アッパケース１７から延びるニップル部１７ａと結合されている。
【００２２】
ロアケース１８の上端側は、略円筒状に形成され、アッパケース１７の略円筒状の下端部１７ｂが水密性を確保して外嵌され、ロアケース１８の下端側は、散水板２３の外周側筒部２４が水密性を確保して外装されている。ロアケース１８と外周側筒部２４とは、対応する雌ネジと雄ネジとが形成されて、相互にネジ結合されている。
【００２３】
また、アッパケース１７の円筒状の下端部１７ｂには、図２・３・５に示すように、表示部材２９の係止突起３１を係止する係止溝１７ｃが、外周面の周方向の全周に凹んで形成されている。係止溝１７ｃの上縁側周縁には、係止突起３１の係止溝１７ｃへの挿入時、係止突起３１が上方側へ外れ難いように、突条１７ｄが形成されている。また、下端部１７ｂの外周面には、係止溝１７ｃの下方における上カバー７の開口部７ｄの配置位置付近と、その配置位置と下端部１７ｂの正面側を基準とする左右対称の位置付近と、に凸部１７ｅ・１７ｅが突設されている（図３参照）。
【００２４】
散水板２３は、図２に示すように、中央に円形の開口２３ｂを備えた略円板状として、外周側の上方に延びる円筒状の外周側筒部２４と、開口２３ｂの周縁から下方へ延びる円筒状の内周側筒部２５と、を備えて構成されている。外周側筒部２４と内周側筒部２５との間には、多数の小径の散水孔２３ａが上下面を貫通して形成されている。また、内周側筒部２５内には、泡沫器２７が配設されている。そして、この散水板２３は、ロアケース１８から外周側筒部２４の内周側と内周側筒部２５の外周側との間の散水孔２３ａの配置領域に流出された水を、散水孔２３ａを経てシャワー吐水させることとなる。そしてまた、この散水板２３は、ロアケース１８から内周側筒部２５の内周側の開口２３ｂの配置領域に流出させた水を、泡沫器２７を経てストレート吐水させることとなる。
【００２５】
表示部材２９は、図５に示すように、周方向に切欠き３０ｆを有して分断された円筒状の筒状本体３０を備えて、ＡＢＳ樹脂等の合成樹脂から形成されている。筒状本体３０の上端には、内周側に複数の係止突起３１が形成されている。各係止突起３１は、アッパケース下端部１７ｂの係止溝１７ｃに対して、下端部１７ｂの周方向に回動可能に係止されるものであり、実施形態の場合、筒状本体３０における周方向の両端と周方向の中間位置とに形成されている。また、筒状本体３０における下端には、周方向の中間部位に、外周側に取っ手３２が形成されている。取っ手３２は、表示部材２９の回動操作用のものであり、ヘッド部３内への組付時、下カバー８の凹部８ｂからヘッド部３の背面側に突出される。
【００２６】
さらに、この筒状本体３０の外周面３０ｄには、浄化剤１３の取替時期として、一年の１２月分の月数３０ｅが表示されている。
【００２７】
また、筒状本体３０の内周面３０ａには、筒状本体３０の上端から下端まで凹ませた複数の凹部３０ｃを配設させた凹部群３０ｂが、本体３０の周方向の中間付近を除き、周方向の中間付近から周方向の両端側に向かって、それぞれ、形成されている。これら二つの凹部群３０ｂの凹部３０ｃは、筒状本体３０の周方向に沿って１２個ずつ形成されている。これらの凹部群３０ｂの各凹部３０ｃと各月数３０ｅとの配置は、各凹部３０ｃの各々にアッパケース１７の凸部１７ｅ・１７ｅが嵌合された際、１２個の各月数３０ｅを、順次、上カバー７の開口部７ｄに配置させることができるように、設定されている。すなわち、１月〜１２月の各月数３０ｅを、順次、開口部７ｄに配置させた際、各凹部群３０ｂの一つの凹部３０ｃに凸部１７ｅが嵌合するように、設定されている。
【００２８】
そして、この表示部材２９は、アッパケース１７の下端部１７ｂ及び散水板２３の外周側筒部２４の外周面側と、上・下カバー７・８の弧面部７ａ・８ａの内周面側と、の間で、上端側の各係止突起３１をアッパケース１７の係止溝１７ｃに係止させ、下端側を散水板２３の外周縁における鍔部２３ｃの上面側に支持させて、シャワーヘッド本体４内に、ヘッド部３（表示部材２９）の周方向へ回動可能に配設されている。なお、表示部材２９における各凹部群３０ｂの凹部３０ｃとアッパケース１７の各凸部１７ｅとは、表示部材２９の周方向への回動を可能とし、かつ、節度感を確保できるように、嵌合されている。
【００２９】
また、実施形態のシャワーヘッド１では、浄化剤１３の交換時には、カートリッジ１２ごと交換するものであり、グリップ部２側の連結パイプ１１とヘッド部３側のニップル部１７ａとの連結を解除して行なう。なお、連結パイプ１１とニップル部１７ａとは、実施形態の場合、バヨネット結合により連結されるもので、ニップル部１７ａの外周側に図示しない係止突起が突設され、連結パイプ１１の内周面に、パイプ１１の軸方向に沿った凹溝と、その凹溝の下端側にパイプ１１の周方向に沿った係止溝と、が形成されており、ニップル部１７ａの係止突起を、パイプ１１の凹溝に挿入させ、さらに、係止溝側に配置させて、両者を連結させている。そのため、カートリッジ１２の取り替え時には、連結時と逆の操作で、ニップル部１７ａにコネクタ１５を組み付けた状態で、ニップル部１７ａを連結パイプ１１から取り外し、連結パイプ１１の上端側から使用済みのカートリッジ１２を取り出し、新たなカートリッジ１２を連結パイプ１１に挿入させ、さらに、ニップル部１７ａを連結パイプ１１にバヨネット結合させれば、カートリッジ１２の交換を行なうことができる。なお、カートリッジ１２の交換時には、上・下カバー７・８は、表示部材２９や散水板２３と共に、弁室１６側に取り付けられた状態で、筒カバー６から離脱することとなる。
【００３０】
ついで、カートリッジ１２の交換を行なった後には、取っ手３２を把持して表示部材２９を回動させ、図６に示すように、所定の月数３０ｅを開口部７ｄに配置させることとなる。
【００３１】
そして、実施形態のシャワーヘッド１では、シャワーヘッド１の本体４における開口部７ｄから、浄化剤１３の取替月を表示した一つの月数３０ｅだけが表示されることから、浄化剤１３の取替時期としての取替月が見易く、一瞥しただけで、容易に認識することができる。
【００３２】
また、表示部材２９が、開口部７ｄから所定の取替月を表示させて本体４に覆われていても、回動操作用の取っ手３２がシャワーヘッド本体４から突出されているため、浄化剤１３の交換後等に、操作用取っ手３２を回動操作して容易に取替月の月数３０ｅを変更することができる。さらに、操作用の取っ手３２は、シャワーヘッド１のヘッド部３の背面側から突出されているため、シャワーヘッド１の通常使用時、使用者が触れて表示部材２９を誤操作して回動させる虞れがない。
【００３３】
さらに、実施形態のシャワーヘッド１では、表示部材２９の月数３０ｅを表示する開口部７ｄが、本体４の側面側に配置されており、本体４の正面側に開口部７ｄが配置される場合に比べて、シャワーヘッド１の美観を良好にすることができる。
【００３４】
さらにまた、実施形態のシャワーヘッド１では、表示部材２９における筒状本体３０の内周面３０ａとシャワーヘッド本体４におけるアッパケース下端部１７ｂの外周面とに、開口部７ｄでのそれぞれの月数３０ｅの表示時に、表示部材２９の回動を可能として相互に嵌合する凹部３０ｃと凸部１７ｅとが設けられている。そのため、表示部材２９の回動操作時、節度感を得られて、表示部材２９の取替月の所定の月数３０ｅを表示することができ、かつ、取替月の月数３０ｅを表示させた後の表示部材２９のずれ防止を確保できる。
【００３５】
特に、実施形態では、表示部材２９に設けられた凹部３０ｃが、筒状本体３０の略点対称の位置に配置された二つの凹部群３０ｂに、それぞれ設けられ、さらに、二つの凹部群３０ｂ・３０ｂに対して、円筒状のアッパケース下端部１７ｂの略点対称の位置に配置された二つの凸部１７ｅ・１７ｅがそれぞれ配設されている。そのため、各凹部群３０ｂの凹部３０ｃと凸部１７ｅとの嵌合位置が、ヘッド部３の周方向における略点対称の位置に配置されることとなって、表示部材２９の回動操作が安定するとともに、大きな節度感を確保することが可能となる。
【００３６】
また、各凹部群３０ｂの凹部３０ｃが、少なくとも一年の１２月分の１２個設けられ、二つの凹部群３０ｂ・３０ｂに対して、一つずつの凸部１７ｅ・１７ｅが嵌合するように構成されており、表示部材２９と本体４とに設ける凹凸の数を極力少なくすることができて、表示部材２９と本体４との型構造をシンプルにすることができる。
【００３７】
なお、実施形態では、表示部材２９の筒状部材３０における内周面３０ａ側に凹部３０ｃを設け、本体４におけるアッパケース下端部１７ｂの外周面側に凸部１７ｅを設けた場合を示したが、凹部は、表示部材２９の筒状部材３０の外周面側に設け、対応する本体４の部位であるハウジング５のカバー７・８の内周面側に凸部を設けたり、あるいは、本体４における表示部材２９の内周面側となるケース下端部１７ｂや散水板外周側筒部２４の外周面側、あるいは、本体４における表示部材２９の外周面側となるカバー７・８の内周面側に凹部を設け、一方、表示部材２９の内周面３０ａ側若しくは外周面３０ｄ側に、対応する凸部を設けてもよい。
【００３８】
また、実施形態では、表示部材２９を本体４に対して回動可能に係止させるために、筒状本体３０の内周側に係止突起を設けた場合を示したが、本体４側を対応させて、筒状本体３０の外周側に係止突起を設けたり、あるいは、本体４側に係止突起を設けて、本体３０の内周面側若しくは外周面側に係止溝を設けてもよい。さらに、実施形態では、筒状本体３０の下端が、散水板２３の鍔部２３ｃに支持されており、係止突起３１を省いて、この鍔部２３ｃを表示部材２９を回動可能に係止する係止部位としてもよい。
【００３９】
さらにまた、実施形態では、操作用の取っ手３２をシャワーヘッド１のヘッド部３における背面側から突出させたものを示したが、取っ手３２は、図７に示すように、シャワーヘッド１Ａのグリップ部２に設けてもよく、この場合、使用者の誤操作を無くすために、取っ手３２は、ヘッド部３から離れた端部側（図例では下端側）から突出させることが望ましい。さらに、グリップ部２の美観を確保するためには、図７に示すように、取っ手３２は、グリップ部２の筒カバー６の下面側から突出させることが望ましい。図例の表示部材２９は、係止突起３１を連結パイプ１１に設けられた係止溝１１ａに係止させて、筒カバー６と連結パイプ１１との間で回動自在に係止されている。そして、取替時期としての月数３０ｅは、筒カバー６の側面に設けた開口部６ａから表示されている。また、カバー６には、回動操作用の取っ手３２を突出させるために、凹部６ｂが設けられている。
【図面の簡単な説明】
【図１】本発明の一実施形態のシャワーヘッドを示す部分斜視図である。
【図２】同実施形態の概略縦断面図である。
【図３】同実施形態の概略横断面図であり、図２のＩＩＩ−ＩＩＩ部位に対応する。
【図４】同実施形態の概略横断面図であり、図２のＩＶ−ＩＶ部位に対応する。
【図５】同実施形態に使用する表示部材、透明板、及び、本体側におけるアッパケース下端部付近の概略部分斜視図である。
【図６】同実施形態の使用状態を示す側面図である。
【図７】他の実施形態を示す概略部分縦断面図である。
【符号の説明】
１・１Ａ…シャワーヘッド、２…グリップ部、３…ヘッド部、４…本体、６ａ・７ｄ…開口部、１３…浄化剤、１７ｃ…係止溝、１７ｅ…凸部、２９…表示部材、３０ｃ…凹部、３０ｅ…（取替時期）月数、３１…係止突起、３２…（回動操作用）取っ手。
【図１】
2004121329.tif 000003
【図２】
2004121329.tif 000004
【図３】
2004121329.tif 000005
【図４】
2004121329.tif 000006
【図５】
2004121329.tif 000007
【図６】
2004121329.tif 000008
【図７】
2004121329.tif 000009